【手続補正書】
【提出日】平成24年6月18日(2012.6.18)
【手続補正１】
【補正対象書類名】明細書
【補正対象項目名】００１０
【補正方法】変更
【補正の内容】
【００１０】
図６２Ａ及びＢに示す例において、送信導体Ｙ６上では受信導体Ｘ４及びＸＭ−５とのクロスポイント付近に指示体３１０が置かれているので、このクロスポイント付近に流れる電流が変化する。それゆえ、図６２Ｂに示す例では、送信導体Ｙ６上の受信導体Ｘ４及びＸＭ−５のクロスポイント付近に対応する位置で、差動増幅器３０５の出力信号が変化し、その積分値が低くなる（負の値となる）。この積分値の変化に基づいて、指示体３１０の位置を検出することができる。従来の指示体検出装置では、上述のような検出を送信導体１本毎に切り替えながら行う。
【手続補正２】
【補正対象書類名】明細書
【補正対象項目名】００１８
【補正方法】変更
【補正の内容】
【００１８】
【図１】第１の実施形態に係る指示体検出装置の概略ブロック構成図である。
【図２】第１の実施形態に係る指示体検出装置のセンサ部の概略断面図である。
【図３】第１の実施形態に係る指示体検出装置の多周波信号供給回路のブロック構成図である。
【図４】第１の実施形態に係る指示体検出装置の周期信号生成部のブロック構成図である。
【図５】第１の実施形態に係る指示体検出装置の送信導体選択回路の概略構成図である。
【図６】第１の実施形態に係る指示体検出装置における送信導体の切替動作を説明するための図である。
【図７】第１の実施形態に係る指示体検出装置の受信導体選択回路及び増幅回路の概略構成図である。
【図８】第１の実施形態に係る指示体検出装置における受信導体の切替動作を説明するための図である。
【図９】第１の実施形態に係る指示体検出装置の受信部のブロック構成図である。
【図１０】第１の実施形態に係る指示体検出装置の同期検波回路のブロック構成図である。
【図１１】図１１Ａは、センサ部上に指示体が存在しない場合の送信導体及び受信導体間の静電結合状態を示す図であり、図１１Ｂは、センサ部上に指示体が存在する場合の送信導体及び受信導体間の静電結合状態を示す図である。
【図１２】図１２Ａは、第１の実施形態に係る指示体検出装置に対するマルチタッチを示す図であり、図１２Ｂは、送信導体Ｙ６に対する受信導体の出力信号の波形を示す図である。図１２Ｃは、送信導体Ｙ５８に対する受信導体の出力信号の検波波形を示す図である。図１２Ｄは、送信導体Ｙ２に対する受信導体からの出力信号の検波波形を示す図である。
【図１３】第１の実施形態に係る指示体検出装置における位置検出の手順を示すフローチャートである。
【図１４】第１の実施形態の変形例１に係るセンサ部の概略断面図である。
【図１５】図１５Ａは、第１の実施形態の変形例２に係るセンサ部の概略断面図であり、図１５Ｂは、変形例２に係るセンサ部の斜視図である。
【図１６】図１６Ａは、第１の実施形態の変形例３に係るセンサ部（第１例）のクロスポイントの概略拡大図であり、図１６Ｂは、変形例３に係るセンサ部のランド導体部の概略拡大図である。
【図１７】変形例３に係るセンサ部（第２例）の概略拡大図である。
【図１８】第１の実施形態の変形例４に係るセンサ部の概略構成図である。
【図１９】図１９Ａは、変形例４のセンサ部の上部導体パターンを示す図であり、図１９Ｂは、変形例４のセンサ部の下部導体パターンを示す図である。
【図２０】第１の実施形態の変形例５に係るセンサ部の概略構成図である。
【図２１】図２１Ａは、第１の実施形態の変形例６に係る増幅器の概略構成図であり、図２１Ｂは、増幅回路に差動増幅器を用いる場合の増幅回路及びその周辺の概略構成図である。
【図２２】第１の実施形態の変形例７に係る増幅器の概略構成図である。
【図２３】第１の実施形態の変形例８に係る周期信号の供給形態を示す図である。
【図２４】第１の実施形態の変形例９に係る周期信号の供給形態及び出力信号の検出形態を示す図である。
【図２５】図２５Ａ及びＢは、変形例９において、周期信号の周波数のローテーションの例を示す図である。
【図２６】図２６Ａ〜Ｃは、変形例９において、周期信号の周波数のローテーションの別の例を示す図である。
【図２７】第１の実施形態の変形例１０の説明に供する図である。
【図２８】変形例１０に係る周期信号の供給形態及び出力信号の検出形態を示す図である。
【図２９】変形例１０に係る周期信号の供給形態及び出力信号の検出形態の別の例を示す図である。
【図３０】第１の実施形態の変形例１１の説明に供する図である。
【図３１】変形例１１に係る周期信号の供給形態及び出力信号の検出形態を示す図である。
【図３２】変形例１１に係る周期信号の供給形態及び出力信号の検出形態の別の例を示す図である。
【図３３】図３３Ａ及びＢは、第１の実施形態の変形例１２に係る周期信号の供給形態及び出力信号の検出形態を示す図である。
【図３４】通常の指検出時の信号レベルを示す図である。
【図３５】第１の実施形態の変形例１３，１４の説明に供する図である。
【図３６】第１の実施形態の変形例１４の説明に供する図である。
【図３７】第１の実施形態の変形例１５に係る周期信号の供給形態及び出力信号の検出形態を示す図（１）である。
【図３８】第１の実施形態の変形例１５に係る周期信号の供給形態及び出力信号の検出形態を示す図（２）である。
【図３９】第１の実施形態の変形例１７の説明に供する図である。
【図４０】変形例１７に係る周期信号の供給形態及び出力信号の検出形態を示す図である。
【図４１】第１の実施形態の変形例１８に係る指示体検出装置の受信部のブロック構成図である。
【図４２】変形例１８に係る指示体検出装置の絶対値検波回路のブロック構成図である。
【図４３】図４３Ａは、片側送信時の周期信号の供給形態を示す図であり、図４３Ｂは、出力信号のレベルを示す図である。
【図４４】図４４Ａは、変形例１９に係る両側送信時の周期信号の供給形態を示す図であり、図４４Ｂは、出力信号のレベルを示す図である。
【図４５】図４５Ａは、出力信号の空間分布（レベル曲面）例を示す模式図であり、図４５Ｂは、第１の実施形態の変形例１９に係るレベル曲面を複数の平面に分割した図である。
【図４６】変形例２０においてレベル曲面の体積を計算する方法の一例を説明するためのグラフである。
【図４７】第２の実施形態に係る指示体検出装置の概略ブロック構成図である。
【図４８】第２の実施形態に係る送信導体選択回路及び送信導体接続パターン切替回路の概略構成図である。
【図４９】図４９Ａ及びＢは、第２の実施形態に係る送信導体の切替動作を説明するための図である。
【図５０】第２の実施形態に係る受信導体選択回路及び受信導体接続パターン切替回路の概略構成図である。
【図５１】第２の実施形態に係る受信導体の切替動作を説明するための図である。
【図５２】図５２Ａ及びＢは、第３の実施形態に係る送信導体の切替動作の例を説明するための図である。
【図５３】図５３Ａ及びＢは、第３の実施形態に係る送信導体の切替動作の別の例を説明するための図である。
【図５４】第４の実施形態に係る指示体検出装置の概略ブロック構成図である。
【図５５】第４の実施形態に係る周期信号の初期位相の分散例を示す図である。
【図５６】第４の実施形態に係る送信信号の合成波形（位相分散なし）を示すグラフである。
【図５７】第４の実施形態に係る送信信号の合成波形（位相分散：パターン０）を示すグラフである。
【図５８】第４の実施形態に係る送信信号の合成波形（位相分散：パターン１）を示すグラフである。
【図５９】第４の実施形態に係る送信信号の合成波形（位相分散：パターン２−１）を示すグラフである。
【図６０】第４の実施形態に係る送信信号の合成波形（位相分散：パターン２−２）を示すグラフである。
【図６１】第４の実施形態に係る送信信号の合成波形（位相分散：パターン３）を示すグラフである。
【図６２】図６２Ａは、従来のクロスポイント型静電結合方式の指示体検出装置のセンサ部の概略構成図であり、図６２Ｂは、従来のクロスポイント型指示体検出装置における位置検出の原理を説明するための図である。
【手続補正３】
【補正対象書類名】明細書
【補正対象項目名】００５２
【補正方法】変更
【補正の内容】
【００５２】
一方、受信部３０は、図１に示すように、受信導体選択回路３１と、増幅回路３２と、Ａ／Ｄ（Analog to Digital）変換回路３３と、信号検出回路３４と、位置算出回路３５とから構成されている。受信導体選択回路３１、増幅回路３２、Ａ／Ｄ変換回路３３、信号検出回路３４及び位置算出回路３５は、この順で、センサ部１０側から配置される。
【手続補正４】
【補正対象書類名】明細書
【補正対象項目名】００５９
【補正方法】変更
【補正の内容】
【００５９】
増幅回路３２は、受信導体１２から出力される電流信号を取得し、その電流信号を電圧信号に変換するとともに増幅する。この増幅回路３２は、図７に示すように、受信導体群１１の検出グループ数（１６個）と同数のＩ／Ｖ変換回路３２ａと、切替スイッチ３２ｄとで構成され、一つの検出ブロック３６に対して一つのＩ／Ｖ変換回路３２ａが接続される。本実施の形態では、Ｉ／Ｖ変換回路３２ａを、１入力１出力の増幅器３２ｂ（オペアンプ：Operational Amplifier）と、それに接続されたキャパシタ３２ｃとで構成する。
なお、実際には、直流バイアス調整用にキャパシタ３２ｃと並列に抵抗素子やトランジスタなどを設けるが、ここでは記載を省略している。
【手続補正５】
【補正対象書類名】明細書
【補正対象項目名】００６０
【補正方法】変更
【補正の内容】
【００６０】
Ａ／Ｄ変換回路３３は、増幅回路３２に接続され、増幅回路３２から出力されるアナログ信号をデジタル信号に変換する。なお、Ａ／Ｄ変換回路３３には、公知のＡ／Ｄ変換器を用いることができる。
【手続補正６】
【補正対象書類名】明細書
【補正対象項目名】００６１
【補正方法】変更
【補正の内容】
【００６１】
信号検出回路３４は、図１に示すように、Ａ／Ｄ変換回路３３に接続され、Ａ／Ｄ変換回路３３からの出力信号から、多周波信号供給回路２１で生成された複数の周波数の信号から目的の周波数の信号を検出する。より具体的には、この信号検出回路３４は、Ａ／Ｄ変換回路３３からの出力信号からクロスポイントと、このクロスポイントにおける検出信号のレベルを求める。そして、信号検出回路３４は、この検出信号のレベルを隣接するクロスポイント同士でつなぎ、指示体がタッチしたクロスポイント［Ｘｍ，Ｙｎ］上で頂点（もしくは頂上）となる山形状のレベル曲面を算出して、ビットマップデータとして位置算出回路３５へ出力する。
この信号検出回路３４は、図９に示すように、周期信号生成部２４に対応して周期信号の数（１６個）と同数の同期検波回路３７を持つ信号検出部３４ａで構成される。信号検出部３４ａの入力端子は、Ａ／Ｄ変換回路３３の出力端子に接続される。なお、図７には、時分割選択の回路として機能する切替スイッチ３２ｄをＩ／Ｖ変換回路３２ａの出力側に設ける例を説明したが、この切替スイッチ３２ｄの代わりに検出ブロック３６と同数のＡ／Ｄ変換回路を設けるようにしてもよい。
【手続補正７】
【補正対象書類名】明細書
【補正対象項目名】００７８
【補正方法】変更
【補正の内容】
【００７８】
本例では、センサ部１０の受信導体Ｘ７に沿って送信導体Ｙ５８とＹ２に指１９が置かれ（図１２Ａ参照）、送信導体Ｙ５８には周波数ｆ１４の周期信号が供給され、送信導体Ｙ２には周期信号ｆ０の周期信号が供給される場合を想定する。ここで、送信導体Ｙ５８は送信ブロック２５（図５参照）内で供給順番が３番目であり、同様に送信導体Ｙ２も送信ブロック２５内で供給順番が３番目である。故に、同期検波回路３７のＤＣＴ１４及びＤＣＴ０において、受信導体Ｘ７の出力信号が送信導体１４に供給された周期信号の周波数ｆ１４，ｆ０で同時に検波される。このようにして、図１２Ｃ，Ｄに示すように、送信導体Ｙ５８に対する受信導体Ｘ７及び送信導体Ｙ２に対する受信導体Ｘ７の出力信号のレベルが減少していることがそれぞれ検出され、指の位置を特定することができる。
【手続補正８】
【補正対象書類名】明細書
【補正対象項目名】００８２
【補正方法】変更
【補正の内容】
【００８２】
［指示体検出装置の動作］
次に、本実施形態の指示体検出装置１００の動作を図面を参照しながら説明する。図１３に、本実施形態の指示体検出装置１００における被検出部としての指示体の検出手順を説明するためのフローチャートを示す。
【手続補正９】
【補正対象書類名】明細書
【補正対象項目名】００８６
【補正方法】変更
【補正の内容】
【００８６】
次いで、受信部３０は、ステップＳ２で選択された各検出ブロック３６の所定の受信導体１２からの出力電流を同時に検出する（ステップＳ５）。具体的には、まず、増幅回路３２は、選択された所定の受信導体１２（合計１６本の受信導体１２）からの出力電流を電圧に変換して増幅し、その増幅信号をＡ／Ｄ変換回路３３に出力する。この際、受信導体１２に接続されたＩ／Ｖ変換回路３２ａで出力電流を電圧に変化して増幅する。次いで、Ａ／Ｄ変換回路３３は、入力された電圧信号をＡ／Ｄ変換し、変換したデジタル信号を信号検出回路３４に出力する。
【手続補正１０】
【補正対象書類名】明細書
【補正対象項目名】０１６０
【補正方法】変更
【補正の内容】
【０１６０】
図３１は、４本の受信導体を検出範囲とする場合における周期信号の供給形態及び出力信号の検出形態の例を示している。
図３１の例では、４入力１出力の差動増幅器９４を用いる。この差動増幅器９４の４つの入力端子は、「＋」端子と「−」端子が左右対称となるように配置されて構成される。そして、受信導体選択回路３１（図１参照）は、隣接する任意の４本の受信導体Ｘｍ〜Ｘｍ＋３をこの差動増幅器９４の４つの入力端子に接続する。すなわち、隣接する４本の受信導体Ｘｍ〜Ｘｍ＋３のうち受信導体Ｘｍ＋１、Ｘｍ＋２は「＋」端子に、受信導体Ｘｍ、Ｘｍ＋３は「−」端子にそれぞれ接続される。一方、受信導体１２が接続される差動増幅器９４の入力端子の極性に対応させるように、送信部２０は、送信導体選択回路２２を介して、この送信導体選択回路２２により選択された隣り合う任意の４本の送信導体Ｙｎ〜Ｙｎ＋３のうち、送信導体Ｙｎ＋１及びＹｎ＋２に対しては周波数ｆｋの周期信号の供給し、送信導体Ｙｎ、Ｙｎ＋３に対しては位相反転回路８７を介して周波数ｆｋの周期信号の位相を反転した周期信号を供給する。
【手続補正１１】
【補正対象書類名】明細書
【補正対象項目名】０１６１
【補正方法】変更
【補正の内容】
【０１６１】
変形例１１の差動増幅器９４より得られる出力信号は、図３１に示すレベル曲線９４Ｘのように、１つのピーク値を有する出力信号となる。その結果、差動増幅器の出力信号を積分処理する必要はなくなるので、ノイズ耐性を向上させることができる。それ故、指示体をセンサ部にポインティングしたときの信号を確実に検出することができる。
【手続補正１２】
【補正対象書類名】明細書
【補正対象項目名】０１６４
【補正方法】変更
【補正の内容】
【０１６４】
図３２の例では、４入力１出力の差動増幅器９５を用い、「＋」端子と「−」端子を図３１に示す変形例１１の場合と入れ替えた配置に構成している。そして、受信導体選択回路３１（図１参照）は、隣接する任意の４本の受信導体Ｘｍ〜Ｘｍ＋３をこの差動増幅器９５の４つの入力端子に接続する。すなわち、隣接する４本の受信導体Ｘｍ〜Ｘｍ＋３のうち受信導体Ｘｍ、Ｘｍ＋３は差動増幅器９５の「＋」端子に、受信導体Ｘｍ＋１、Ｘｍ＋２は差動増幅器９５の「−」端子にそれぞれ接続される。一方、受信導体１２が接続される差動増幅器９５の入力端子の極性に対応させるように、送信部２０は、送信導体選択回路２２を介して、この送信導体選択回路２２により選択された隣り合う任意の４本の送信導体Ｙｎ〜Ｙｎ＋３のうち送信導体Ｙｎ及びＹｎ＋３に対しては周波数ｆｋの周期信号を供給し、送信導体Ｙｎ＋１、Ｙｎ＋２に対しては周期信号ｆｋの周期信号の位相反転回路８７を介して位相反転した周期信号を供給する。すなわち、図３２の例は、差動増幅器９５の入力端子の配置を“＋−−＋”とした例である。このように、差動増幅器９５の入力端子の配置を“＋−−＋”としても、図３１に示す例と同様に、差動増幅器の出力信号を積分処理する必要はなくなるので、ノイズ耐性を向上させることができる。
【手続補正１３】
【補正対象書類名】明細書
【補正対象項目名】０１７７
【補正方法】変更
【補正の内容】
【０１７７】
この変形例１４においては、センサ部の受信導体から得られる出力信号のレベル曲線の最大値（以下、この最大値をピーク値と称す）とその形態からホバーリング状態にあるかを識別するようにする。そのため、形態の一例として、ピーク値（図３５の矢印の長さ）とエッジの傾き１０２Ａをそれぞれ検出し、エッジの傾き１０２Ａをそのピーク値で除した値（比）を求める比計算手段と、その比が所定の閾値より大きいか否かで、指示体がホバーリング状態にあるかを識別するホバーリング識別手段を有する構成とする。具体的には、特に図示はしないが、信号検出回路３４に比計算手段及びホバーリング識別手段の機能を設け、信号検出回路３４での識別結果を位置算出回路３５に送信する。あるいは、比計算手段及びホバーリング識別手段の機能は、信号検出回路３４の代わりに制御回路４０に設けてもよい。
【手続補正１４】
【補正対象書類名】明細書
【補正対象項目名】０１９４
【補正方法】変更
【補正の内容】
【０１９４】
ここで、スキップスキャンについて具体例を図１及び図３８に従って説明する。
オールスキャンを行って出力信号が検出されないときは、制御回路４０は、選択される送信導体１４及び受信導体１２の本数が４本（送信導体Ｙｎ〜Ｙｎ＋３、及び受信導体Ｘｍ〜Ｘｍ＋３）ずつ選択されるように送信導体選択回路２２及び受信導体選択回路３１を制御して、スキップスキャンを開始する。そして、この選択された４本の受信導体Ｘｍ〜Ｘｍ＋３でスキャンを行った後、制御回路４０は、受信導体選択回路３１を制御して、選択される受信導体を４本ずらして、受信導体Ｘｍ＋４〜Ｘｍ＋７（不図示）のスキャンを行う。以降、この制御回路４０は、送信導体１４及び受信導体１２の選択及びスキャンと、送信導体選択回路２２及び受信導体選択回路３１により選択される送信導体１４及び受信導体１２の切り替えを繰り返し、センサ部１０全体についてこの動作を繰り返す。そして、いずれかのステップにおいて、指示体が検出されると、制御回路４０は、スキップスキャンを中止して、オールスキャンを実行する。
この例のスキップスキャンのように、一度に選択される受信導体の本数を４本とした場合、感度が向上するとともに、検出位置が大きくずれるので、センサ部全体の検出時間が短縮される。なお、この例では一度に選択される導体の本数を４本としたが、この例に限られるものではなく、任意の本数、例えば、２本、３本、５本などのように、オールスキャンの場合よりも選択される本数が多く設定されればよい。また、この例では、受信導体の切り替える本数を４本にした場合を説明したが、切り換える本数はこの例に限られず、例えば受信導体の本数が４本の場合、２本ずらし、３本ずらし、４本ずらしが考えられる。すなわち、この例に示す４本ずらしでは、最初に受信導体Ｘｍ〜Ｘｍ＋３で受信を行った後、受信導体Ｘｍ＋４〜Ｘｍ＋７・・・と受信導体を切り換えているが、２本ずらしの場合は、受信導体Ｘｍ〜Ｘｍ＋１で受信を行った後、受信導体Ｘｍ＋２〜Ｘｍ＋３・・・のようにずらすことになる。また、この例では送信導体と受信導体の本数がいずれも４本ずつ選択する場合を例示したが、選択される本数は送信導体と受信導体との間で異なってもよい。
【手続補正１５】
【補正対象書類名】明細書
【補正対象項目名】０２０１
【補正方法】変更
【補正の内容】
【０２０１】
図３９に示したセンサ部の構造が変形例１（図１４）のセンサ部５０と同じである場合、受信導体１２は送信導体１４よりも検出面に近い位置に配置されるので、送信導体１４による出力信号のレベル曲線はブロードになり、受信導体１２による出力信号のレベル曲線はシャープになる。このように受信側から見た場合と送信側から見た場合とでレベル曲線の形状に差が生じる結果、図３９に破線で示すように、指示体の形状が丸い場合でも楕円形状に検出されてしまう可能性がある。
【手続補正１６】
【補正対象書類名】明細書
【補正対象項目名】０２０３
【補正方法】変更
【補正の内容】
【０２０３】
図４０は、変形例１７における周期信号の供給形態及び出力信号の検出形態を示している。図４０の例のセンサ部は、図３９の例と同様に変形例１のセンサ部５０と同じ構造であるとし、同じ差動増幅器９９を使用する。図４０の例と図３９の例との相違点は、周期信号を供給する送信導体１４は３本選択されている点、及び、この選択された３本の送信導体１４のうち中央の送信導体Ｙｎ＋２が接地されると共に送信導体Ｙｎ＋３に対し位相反転回路８７によって位相反転した周期信号が供給されている点である。
【手続補正１７】
【補正対象書類名】明細書
【補正対象項目名】０２１１
【補正方法】変更
【補正の内容】
【０２１１】
図４２に示すように、絶対値検波回路３９Ａは、主に、入力端子３９０と、検出信号（出力信号）のレベルを２乗する演算を行う乗積器３９１と、この乗積器３９１の出力を積分する積分器３９２とで構成される。受信導体１２からＡ／Ｄ変換回路３３を介して各絶対値検波回路３９Ａへ検出信号が入力されると、この検出信号は入力端子３９０で分岐されて乗積器３９１へ供給される。乗積器３９１に２つの検出信号が入力され２乗演算される。そして、乗積器３９１で２乗演算された検出信号は、積分器３９２に入力され時間的に積分されて出力される。
【手続補正１８】
【補正対象書類名】明細書
【補正対象項目名】０２１４
【補正方法】変更
【補正の内容】
【０２１４】
［変形例１９］
変形例１９は、第１の実施形態において、伝送路である送信導体及び受信導体の浮遊容量による周期信号のレベル低下や位相遅れを改善するのに好適な例である。以下、図４３及び図４４を参照して、変形例１９を説明する。
【手続補正１９】
【補正対象書類名】明細書
【補正対象項目名】０２１７
【補正方法】変更
【補正の内容】
【０２１７】
図４４Ａに、変形例１９において送信導体１４の両端に送信部を設けた場合の周期信号の供給形態を示し、図４４Ｂに、変形例１９において送信導体Ｙｋに周期信号を供給したときの出力信号のレベルを表したグラフを示す。この図４４Ｂにおいてグラフの横軸は受信導体１２の位置を、縦軸は出力信号のレベルをそれぞれ表している。
この図４４Ｂに示すように、周期信号の供給部に近い受信導体Ｘｍ及びＸｍ＋８から遠ざかるにつれて出力信号のレベルが低下している。ここで、受信導体１２の両側の受信導体Ｘｍ及びＸｍ＋８から最も遠い受信導体Ｘｍ＋４までの距離は、図４４Ａの例で最も離れている受信導体Ｘｍから受信導体Ｘｍ＋８までの距離の半分であるため、出力信号のレベル低下が半減する。同時に位相遅れも半減する。
【手続補正２０】
【補正対象書類名】明細書
【補正対象項目名】０２２９
【補正方法】変更
【補正の内容】
【０２２９】
また別の例として、２乗近似を用いて計算することもできる。この場合、各データ点に与えた重み値をそれぞれ２乗して上記と同様に体積Ｖ２を計算する。すなわち、体積Ｖ２は、
体積Ｖ２＝（１＊Ｓ１＋４＊Ｓ２＋４＊Ｓ３＋４＊Ｓ４＋１＊Ｓ５）／３．５
である。
ここで、重み値の平均値は『各データ点の重み値の２乗の合計』を『台形の数』で除算して求められる。この例では（１＋４＋４＋４＋１）／４＝３．５となる。
【手続補正２１】
【補正対象書類名】明細書
【補正対象項目名】０２３８
【補正方法】変更
【補正の内容】
【０２３８】
送信導体選択回路２２は、例えば、複数のスイッチ等で構成される。この送信導体選択回路２２は、送信導体接続パターン切替回路１５２で選択された周期信号の供給形態に応じて、送信導体接続パターン切替回路１５２の出力端子をそれに対応する送信導体１４を選択して接続する。なお、送信導体選択回路２２における送信導体１４の選択及び切替動作は、制御回路４０により制御される。
【手続補正２２】
【補正対象書類名】明細書
【補正対象項目名】０２４３
【補正方法】変更
【補正の内容】
【０２４３】
上記第１の実施形態においては、送信導体群１３の各送信ブロック３６（図１及び図５参照）から所定時間毎に１本の送信導体１４を選択する例を説明したが、本実施形態では、送信ブロックを構成する全ての送信導体１４にそれぞれ周波数の異なる周期信号を同時に供給して位置検出を行う。そして、所定時間毎に、周期信号が供給される送信ブロックを切り替えて同様の位置検出を行う。
【手続補正２３】
【補正対象書類名】明細書
【補正対象項目名】０２４４
【補正方法】変更
【補正の内容】
【０２４４】
以下、本実施の形態の送信導体の切り替え例について図４８及び図４９Ａ及びＢを参照して説明する。この例では、１つの送信ブロック１６１が隣り合う１６本の送信導体１４から構成されている場合を例示して説明する。１つの送信ブロック１６１は隣り合う１６本の送信導体１４で構成されているから、送信ブロック１６１に供給する周期信号の周波数ｆｋの数は「１６」となる。従って、この周期信号を供給する多周波信号供給回路２１（図４７参照）内の周期信号生成部２４の数は１６個となる。なお、図４９Ｂの切替動作は、図４９Ａの送信ブロック１６１の切替動作のローテーション方向を逆にしただけであるので、ここでは、図４９Ａの例についてのみ説明する。
【手続補正２４】
【補正対象書類名】明細書
【補正対象項目名】０２４５
【補正方法】変更
【補正の内容】
【０２４５】
図４８に示すように送信導体接続パターン切替回路１５２は、１６個のスイッチ１５２ａから構成される。そして、この送信導体接続パターン切替回路１５２は、多周波信号供給回路２１と送信導体選択回路２２との間に設けられ、多周波信号供給回路２１から周波信号が供給される。
スイッチ１５２ａは、多周波信号供給回路２１から供給された周期信号を各送信ブロック１６１を構成する送信導体１４に同時に供給するためのスイッチである。このスイッチ１５２ａは、それぞれが多周波信号供給回路２１の各周波数生成部２４（図４参照）に接続される。そして、この送信導体接続パターン切替回路１５２は、制御回路４０により制御されて、切り替え動作を行う。
【手続補正２５】
【補正対象書類名】明細書
【補正対象項目名】０２４６
【補正方法】変更
【補正の内容】
【０２４６】
図４９Ａ及びＢに、送信導体の切替動作の一例を示す。
まず、送信ブロック｛Ｙ０〜Ｙ１５｝の送信導体Ｙ０〜Ｙ１５にそれぞれ周波数ｆ０〜ｆ１５の周期信号を同時に供給する状態（図４９Ａの状態）を説明する。
多周波信号供給回路２１の各周波信号生成部２４（図３及び図４７参照）から出力された周波数ｆ０〜ｆ１５の周期信号は、それぞれ送信導体接続パターン切替回路１５２を構成する各スイッチ１５２ａを介して送信ブロック｛Ｙ０〜Ｙ１５｝の送信導体Ｙ０〜Ｙ１５に供給される。この周波数ｆ０〜ｆ１５の周期信号が供給された状態で、受信部１５３は位置検出を行う。この受信部１５３が位置検出を行った後、送信導体接続パターン切替回路１５２は、制御回路４０の制御により、周期信号を供給する送信ブロックを送信ブロック｛Ｙ１６〜Ｙ３１｝に切替えて、送信導体Ｙ１６〜Ｙ３１にそれぞれ周波数ｆ０〜ｆ１５の周期信号を同時に供給する。そして、送信ブロック｛Ｙ３２〜Ｙ４８｝・・・と所定時間毎に周期信号を供給する送信ブロック１６１を順番に切り換えて、各送信ブロックに周期信号を供給する動作と位置検出とを繰り返す。そして、送信ブロック｛Ｙ４８〜Ｙ６３｝への周期信号の供給と位置検出とが終了したら、送信導体接続パターン切替回路１５２は、制御回路４０の制御により、周期信号を供給する送信ブロックを送信ブロック｛Ｙ０〜Ｙ１５｝に戻して上記切替動作を繰り返す。なお、この例では、４回目の切り替えで元の送信ブロックに戻ることになる。
【手続補正２６】
【補正対象書類名】明細書
【補正対象項目名】０２４７
【補正方法】変更
【補正の内容】
【０２４７】
送信導体１４の切替動作並びに送信導体選択回路２２及び送信導体接続パターン切替回路１５２を上述のように構成することにより、次のような効果が得られる。例えば、第１の実施形態のように送信導体群１３の各送信ブロックから所定時間ΔＴ毎に１本の送信導体１４を選択した場合、送信ブロック１６１間の境界に位置する送信導体１４間での検出時間の差が大きくなる。
以下、具体例を挙げて説明する。例えば、第一の実施形態において、指示体が送信導体Ｙ１５とＹ１６との間を位置する場合に、多周波信号供給回路２１から供給された周期信号を、送信ブロック｛Ｙ０〜Ｙ３｝、｛Ｙ４〜Ｙ７｝、…、｛Ｙ６０〜Ｙ６３｝内のそれぞれ送信導体Ｙ０、Ｙ４、…、Ｙ６０に供給し、受信部３０が指示体を検出した後、制御回路４０の制御により、送信導体選択回路２２が所定時間ΔＴ毎にインデックスが増える方向に順次、送信導体１４を切替えて指示体の位置を検出したとする。この場合、多周波信号供給回路２１から供給された周期信号が送信導体Ｙ１５及びＹ１６に供給されてから次にこの送信導体Ｙ１５及びＹ１６に周期信号が供給されるまでの時間差は、検出時間差が１６ΔＴとなる。この場合、例えば、送信導体Ｙ１５及びＹ１６間のような送信ブロック１６１間の境界付近で指示体が移動していると、その指示体の検出精度が低下する。
【手続補正２７】
【補正対象書類名】明細書
【補正対象項目名】０２５１
【補正方法】変更
【補正の内容】
【０２５１】
図５０に、この例の切替え動作を行う受信導体接続パターン切替回路の一構成例を示す。受信導体接続パターン切替回路１５４は、１６個のスイッチ１５４ａから構成される。この受信導体接続パターン切替回路１５４は、受信導体選択回路３１と増幅回路３２との間に設けられ、受信導体選択回路３１から受信信号が供給される。
スイッチ１５４ａは、受信導体選択回路３１から供給された受信信号を後段の増幅回路３２を構成する各Ｉ／Ｖ変換回路３２ａに同時に供給するためのスイッチである。このスイッチ１５４ａは、それぞれが増幅回路３２の各Ｉ／Ｖ変換回路３２ａに接続される。そして、この受信導体接続パターン切替回路１５４は、制御回路４０（図４７参照）に制御されて切り替え動作を行う。
【手続補正２８】
【補正対象書類名】明細書
【補正対象項目名】０２５２
【補正方法】変更
【補正の内容】
【０２５２】
図５１に、その受信導体の切り替え動作の一例を示す。
まず、受信導体接続パターン切替回路１５４は、制御回路４０の制御によりスイッチ１５４ａを切り換えて、検出ブロック｛Ｘ０〜Ｘ１５｝内の全ての受信導体１２と後段の増幅回路３２を構成するＩ／Ｖ変換回路３２ａとを接続する。そして、受信部１５３は、接続された全ての受信導体１２について、同時に指示体の位置検出を行う。
次いで、受信部１５３が位置検出を終了したら、制御回路４０の制御により、受信導体接続パターン切替回路１５４は、スイッチ１５４ａを検出ブロック｛Ｘ０〜Ｘ１５｝から検出ブロック｛Ｘ１６〜Ｘ３１｝に切替えて、その検出ブロック１６３内の全ての受信導体１２とＩ／Ｖ変換回路３２ａとを接続する。そして、受信部１５３は、この接続された全ての受信導体１２について、同時に指示体の位置検出を行う。以降、この切替え動作を繰り返して行い、検出ブロック｛Ｘ１１２〜Ｘ１２７｝での位置検出が終了したら、受信導体接続パターン切替回路１５４は、制御回路４０の制御によりスイッチ１５４ａを切り換えて、Ｉ／Ｖ変換回路３２ａに接続される検出ブロックを検出ブロック｛Ｘ０〜Ｘ１５｝に戻して、上記切り替え動作を繰り返す。なお、この例では、８回目の切り替えで元の受信ブロックに戻ることになる。
【手続補正２９】
【補正対象書類名】明細書
【補正対象項目名】０２５７
【補正方法】変更
【補正の内容】
【０２５７】
次いで、所定時間後、前回、周期信号が供給された送信導体１４からそのインデックスｎが減少する方向に１本だけ送信導体を切り替える。すなわち、前回選択された送信導体Ｙ３、Ｙ７、…、Ｙ５５、Ｙ５９及びＹ６３を、それぞれ送信導体Ｙ２、Ｙ６、…、Ｙ５４、Ｙ５８及びＹ６２に切り替える。そして、送信導体Ｙ２、Ｙ６、…、Ｙ５４、Ｙ５８及びＹ６２にそれぞれ周波数ｆ０、ｆ１、…、ｆ１３、ｆ１４及びｆ１５の周期信号が同時に供給される。そして、この周波数ｆ０〜ｆ１５の周期信号が供給された状態で、受信部３０は位置検出を行う。このような切替動作を繰り返し、周波数ｆ０、ｆ１、…、ｆ１３、ｆ１４及びｆ１５の周期信号が送信導体Ｙ０、Ｙ４、…、Ｙ５２、Ｙ５６及びＹ６０に供給され、受信部３０が位置検出を行った後は、制御回路４０は、多周波信号供給回路２１を制御して、この多周波信号供給回路２１の各周期信号生成部２４から各送信ブロック２５に供給される周期信号の周波数を変更する。具体的には、各送信ブロック２５から供給された周波数ｆ０、ｆ１、…、ｆ１３、ｆ１４及びｆ１５はそれぞれ送信導体Ｙ６３、Ｙ３、…、Ｙ５１、Ｙ５５及びＹ５９に供給される。そして、上記と同様に位置検出動作を行う。本実施形態では、このようにして送信導体の切り替えを行う。
【手続補正３０】
【補正対象書類名】明細書
【補正対象項目名】０２５８
【補正方法】変更
【補正の内容】
【０２５８】
この例のような送信導体１４の切替動作のローテーションでは、次のような効果が得られる。図４８〜図４９の例では、１６周波数の周期信号が隣接する１６本の送信導体に同時に供給されるので、ある瞬間では特定の部分に集中して位置検出が行えるが、この特定部分以外の部分では位置検出が行えない。これに対し、送信導体全数（本例では６４本）に対して所定本数（本例では３本）離間した送信導体に周期信号を供給し、送信導体全数に対して順次シフト（循環）させる。これにより、異なる周波数の周期信号が例えば３本置きの送信導体に供給されるので、センサ部全体でバランスよく指示体の位置を検出できる。
【手続補正３１】
【補正対象書類名】明細書
【補正対象項目名】０２６０
【補正方法】変更
【補正の内容】
【０２６０】
［変形例１］
変形例１では、送信導体１４の切替動作の他のローテーション例を説明する。なお、この変形例１は、第２の実施形態における指示体検出装置の構成と同一の構成を有しているので、当該構成については、その説明を割愛する。
この変形例１と第２の実施の形態との相違点は、第２の実施形態におけるローテーションは送信導体接続パターン切替回路１５２を構成する１６個のスイッチ１５２ａを送信ブロック１６１単位で切り換えるのに対し、この変形例１における１６個のスイッチ１５２ａを送信導体１４のインデックスが増える方向に順次１本ずつ切り換える点である。図５３Ａ及びＢに、この変形例１の送信導体の切替動作のローテーション例を示す。なお、図５３Ｂの切替動作は、図５３Ａの切替動作のローテーション方向を逆にしただけであるので、ここでは、図５３Ａの例についてのみ説明する。
【手続補正３２】
【補正対象書類名】明細書
【補正対象項目名】０２６１
【補正方法】変更
【補正の内容】
【０２６１】
まず、多周波信号供給回路２１から供給された周波数ｆ０〜ｆ１５の周期信号は、それぞれ隣り合う（インデックスｎが連続する）１６本の送信導体Ｙ４８、Ｙ４９、Ｙ５０…Ｙ６３に同時に供給される。そして、この周波数ｆ０〜ｆ１５の周期信号が供給された状態で、受信部３０は位置検出を行う。
【手続補正３３】
【補正対象書類名】明細書
【補正対象項目名】０２６２
【補正方法】変更
【補正の内容】
【０２６２】
次いで、所定時間後、制御回路４０は送信導体接続パターン切替回路１５２を制御して、この送信導体接続パターン切替回路１５２を構成するスイッチ１５２ａが前回、周期信号を供給した送信導体Ｙ４８〜Ｙ６３からそのインデックスｎが減少する方向に１本だけ送信導体を切り替える。すなわち、周波数ｆ０〜ｆ１５の周期信号は、それぞれ送信導体Ｙ４７〜Ｙ６２に同時に供給される。そして、この周波数ｆ０〜ｆ１５の周期信号が供給された状態で、受信部１５３は位置検出を行う。このような切替動作を繰り返し、周波数ｆ０〜ｆ１５の周期信号がそれぞれ送信導体Ｙ０〜Ｙ１５に同時供給され、受信部１５３が位置検出を行った後は、制御回路４０は、送信導体接続パターン切替回路１５２を制御して、スイッチ１５２ａにより接続される送信導体Ｙ０及びＹ１〜Ｙ１５をそれぞれ送信導体Ｙ６３及びＹ０〜Ｙ１４に切り替える。そして、受信部１５３は、上記と同様に位置検出動作を行う。変形例１では、このようにして送信導体の切り替えを行う。
【手続補正３４】
【補正対象書類名】明細書
【補正対象項目名】０２７４
【補正方法】変更
【補正の内容】
【０２７４】
図５７は、１６周波数の周期信号に対して９０度毎に位相分散した場合（パターン０：表２参照）の合成波形の例である。
【表２】
2011003035.tif 000001
【手続補正３５】
【補正対象書類名】明細書
【補正対象項目名】０２８６
【補正方法】変更
【補正の内容】
【０２８６】
１０…センサ部、１１…受信導体群、１２…受信導体、１３…送信導体群、１４…送信導体、２０…送信部、２１…多周波信号供給回路、２２…送信導体選択回路、２２ａ…スイッチ、２３…クロック発生回路、２４…周期信号生成部、２５…送信ブロック、３０…受信部、３１…受信導体選択回路、３１ａ…スイッチ、３２…増幅回路、３２ａ…Ｉ／Ｖ変換回路、３２ｂ…増幅器、３２ｃ…キャパシタ、３３…Ａ／Ｄ変換回路、３４…信号検出回路、３４ａ…信号検出部、３５…位置算出回路、３６…検出ブロック、３７…同期検波回路部、３８…レジスタ、４０…制御回路、８５，８６，９３，９４，９５，９６，９７，９９…差動増幅器、９０，９１，９２，９８…増幅器、１００…指示体検出装置、１５０…指示体検出装置、１５１…送信部、１５２…送信導体接続パターン切替回路、１５２ａ…スイッチ、１５３…受信部、１５４…受信導体接続パターン切替回路、１５４ａ…スイッチ、１６１…送信ブロック、１６３…検出ブロック、２００…指示体検出装置、２２１…位相制御回路、２４１…加算器、２４２…選択器、２４３…Ｄ−ＦＦ、２４４…矩形波ＲＯＭ、２４５…Ｄ−ＦＦ、３７０…入力端子、３７１…信号源、３７３…乗積器、３７４…積分器
【手続補正３６】
【補正対象書類名】図面
【補正対象項目名】図９
【補正方法】変更
【補正の内容】
【図９】
2011003035.tif 000002
【手続補正３７】
【補正対象書類名】図面
【補正対象項目名】図４９
【補正方法】変更
【補正の内容】
【図４９】
2011003035.tif 000003